(57)【要約】      （修正有）【課題】室内機本体を通信アダプタで操作できる機種と、通信アダプタで操作できない機種で共用する空気調和機の室内機において、前面カバーの金型の費用を抑え、部品点数を抑える空気調和機の室内機を提供することを目的とする。【解決手段】開閉可能な吸込パネル１６を前面に取り付けた前面カバー３と、前面カバー３内部に熱交換器１８と熱交換器１８の一側方から引き出される冷媒配管でなる冷媒配管部と、前面カバー３と冷媒配管部の間に配置された通信アダプタとを備える。【選択図】図１
2018017481.tif 000002
【特許請求の範囲】
【請求項１】
開閉可能な吸込パネルを前面に取り付けた前面カバーと、前記前面カバー内部に熱交換器と前記熱交換器の一側方から引き出される冷媒配管でなる冷媒配管部と、前記前面カバーと前記冷媒配管部の間に配置された通信アダプタとを備えることを特徴とする空気調和機の室内機。
【請求項２】
前記通信アダプタは直方体状のアダプタ本体部と、同アダプタ本体部の底面に突設した取付部を備え、前記熱交換器の下端にはドレンパンを有し、前記ドレンパンは前記通信アダプタの前記取付部とネジ止めされるネジ受け部を備えることを特徴とする請求項１に記載の空気調和機の室内機。
【請求項３】
前記ドレンパンは、前記ネジ受け部の上方に、先端に回り止めのための爪部を有する係止片を設け、前記通信アダプタの背面には前記爪部を受ける爪受け部を設けることを特徴とする請求項２に記載の空気調和機の室内機。
【請求項４】
前記通信アダプタの前面には表示部を備え、前記前面カバーは前記表示部を視認させるための表示孔を有する筒状リブを有し、前記筒状リブは前記通信アダプタの前面に接することを特徴とする請求項１〜３に記載の空気調和機の室内機。
【請求項５】
前記冷媒配管部を挟んで前記熱交換器の反対側に電装品箱と、前記電装品箱の前記冷媒配管部側の面を覆う遮水板が設けられ、前記遮水板は前記冷媒配管部の前方を覆うフランジ部を備え、前記フランジ部は前記通信アダプタの背面を支えるリブを備えることを特徴とする請求項１〜４に記載の空気調和機の室内機。
【発明の詳細な説明】
【技術分野】
【０００１】
本発明は、空気調和機の室内機に関するものである。
【背景技術】
【０００２】
従来の空気調和機の室内機は、室内機本体内部にクロスフローファン型の送風ファンと送風ファンの周囲を囲む熱交換器と制御基板や制御部品を収納した電装品箱を備える。そして室内機本体は開閉可能な吸込パネルを前面に取り付けた前面カバーで覆われる。前面カバーの吸込パネル側には通信アダプタの収納部と電装品箱にアクセスできる開口部とが設けられており、この通信アダプタの収納部に通信アダプタを収納して通信アダプタのケーブルを電装品箱の開口部から制御基板に接続する。電装品箱の開口部は前面開閉蓋で覆われ、通信アダプタの収納部には通信アダプタの前面側を覆うコネクタ前面カバーが設けられている。これにより通信アダプタを前面カバーに収納して制御基板に接続できるとともに、ユーザーが吸込パネルを開けてもコネクタ前面カバーと前面開閉蓋で通信アダプタと電装品箱の開口部が覆われており通信アダプタやケーブルに触ることを防ぐことができる。（例えば特許文献１参照）
【先行技術文献】
【特許文献】
【０００３】
【特許文献１】特開２０１５−３１４８０号公報
【発明の概要】
【発明が解決しようとする課題】
【０００４】
一方で、従来例のように前面カバーの吸込パネル側に通信アダプタの収納部を設けると、メンテンスは容易となるが、コネクタ前面カバーや前面開閉蓋等の部品が別途必要となる。
【０００５】
また空気調和機は室内機本体を機能が異なる複数の機種で共用しており、その中には通信アダプタで操作できるものと、通信アダプタで操作できないものがある。前面カバーは樹脂製のため成形には大型の金型が必要となるが、前面カバーの前面側にアダプタ収納部の有無を設けるために金型を大型の入れ子構造にする必要があり、これにより金型の費用が高くなる。
【０００６】
本発明は以上述べた問題点を解決し、室内機本体を通信アダプタで操作できる機種と、通信アダプタで操作できない機種で共用する空気調和機の室内機において、前面カバーの金型の費用を抑え、通信アダプタや電装品箱のカバーを必要としない空気調和機の室内機を提供することを目的とする。
【課題を解決するための手段】
【０００７】
上述した課題を解決するために本発明は、開閉可能な吸込パネルを前面に取り付けた前面カバーと、前記前面カバー内部に熱交換器と前記熱交換器の一側方から引き出される冷媒配管でなる冷媒配管部と、前記前面カバーと前記冷媒配管部の間に配置された通信アダプタとを備える。
【０００８】
また、前記通信アダプタは直方体状のアダプタ本体部と、同アダプタ本体部の底面に突設した取付部を備え、前記熱交換器の下端にはドレンパンを有し、前記ドレンパンは前記通信アダプタの前記取付部とネジ止めされるネジ受け部を備えている。
【０００９】
また、前記ドレンパンは、前記ネジ受け部の上方に、先端に回り止めのための爪部を有する係止片を設け、前記通信アダプタの背面には前記爪部を受ける爪受け部を設けることも含まれる。
【００１０】
また、前記通信アダプタの前面には表示部を備え、前記前面カバーは前記表示部を視認させるための表示孔を有する筒状リブを有し、前記筒状リブは前記通信アダプタの前面に接することで前方から前記通信アダプタを押さえている。
【００１１】
さらに前記冷媒配管部を挟んで前記熱交換器の反対側に電装品箱と、前記電装品箱の前記冷媒配管部側の面を覆う遮水板が設けられ、前記遮水板は前記冷媒配管部の前方を覆うフランジ部を備え、前記フランジ部は前記通信アダプタの背面を支えるリブを備えることで後方から前記通信アダプタを押さえている。
【発明の効果】
【００１２】
上記のように構成した本発明によれば、前面カバーと冷媒配管部の間に通信アダプタを配置したことで、前面カバーの金型の費用を抑え、通信アダプタや電装品箱のカバー等を必要としない部品点数を抑えた空気調和機の室内機を提供することができるものとなる。
【図面の簡単な説明】
【００１３】
【図１】本発明による空気調和機の室内機の吸込パネルを開けた状態の斜視図である。
【図２】図１のＸ部拡大図である。
【図３】本発明による空気調和機の室内機の前面カバーを外した状態の部分拡大正面図である。
【図４】本発明による空気調和機の室内機の前面カバーを外した状態の部分拡大斜視図である。
【図５】（ａ）は図３から通信アダプタを外した状態の図で、（ｂ）は通信アダプタを背面側から見た斜視図である。
【図６】図２のＡ−Ａ断面図である。
【図７】図２のＢ−Ｂ断面図である。
【発明を実施するための形態】
【００１４】
以下、本発明を実施するための形態を、添付図面に基づいた実施例として詳細に説明する。
【００１５】
本発明に係る空気調和機は、屋外に設置された室外機（図示なし）と、空調室内に設置される室内機１が冷媒配管を介して接続されて冷凍サイクルを構成し、空調室内を空調する。
【００１６】
空気調和機はユーザーが操作したリモコン（図示なし）からの赤外線信号または無線信号を室内機１で受けて運転状態を制御する。
【００１７】
また、空気調和機は、ユーザーが操作したスマートフォンやパソコン等の携帯端末機からの信号を後述する通信アダプタ５で受けて運転状態を制御することも可能である。本発明では、図１の室内機１の斜視図および図２の拡大図に示すように通信アダプタ５は室内機１の前面カバー３の内側に配置されている。
【００１８】
なお、以下の説明において図１に示す座標軸に沿って、室内機１の左右、前後および上下の各方向を指示する。各部品の方向も図１に示す座標軸に沿って説明する。
【００１９】
室内機１は左右方向に長い横長の直方体形状であり、その筐体１１は背面以外が前面カバー３で覆われる。前面カバー３は上面と前面に吸込口１２を備え、前面下端から底面に掛けて吹出口１３が設けられる。吹出口１３には吹き出された空気の吹き出し方向を調整する上下風向板１４、１５が回動可能に軸支されている。
【００２０】
前面カバー３の前面には吸込パネル１６が開閉可能に取り付けられている。吸込パネル１６は裏面に設けた回動軸１６１が前面カバー３の上部左右端にある軸受部３１に回動可能に軸支される。吸込パネル１６は室内機１の運転停止時および運転時には前面カバー３の前面を覆う。また、フィルター（図示なし）の清掃や、設置時に室外機からのケーブルを接続する際には、軸受部３１を支点として吸込パネル１６の下部を上方に移動させ開閉することができる。
【００２１】
本発明の前面カバー３の左右にはそれぞれ側面パネル１７が備えられているが、これに限らず側面パネル１７は前面カバー３と一体でもよい。
【００２２】
図３は前面カバー３を外した筐体１１内部の部分正面図で、図４は図３の斜視図である。図３と図４を参照して、筐体１１内部には室内機１の左右方向と平行に配置されたクロスフローファン型の送風ファン（図示なし）と送風ファンの周囲を囲む熱交換器１８とを備える。送風ファンは右側の軸がファンモータ（図示なし）に軸支され、ファンモータはケーシング２２に支えられる。ファンモータの上部は熱交換器保持板１９で覆われる。熱交換器保持板１９はファンモータの上部から筐体１１の背面の右側を覆いケーシング２２に支えられる。熱交換器１８は熱交換器１８の右端に設けた熱交換器取付板（図示なし）で熱交換器保持板１９に固定される。ケーシング２２は吸込口１２と吹出口１３を結ぶ送風路を形成している。熱交換器１８の下端には熱交換器１８から発生した結露水を受けるドレンパン６を有する。ドレンパン６はケーシング２２と一体でもよい。熱交換器１８の左右幅は送風ファンの幅とほぼ等しく、吹出口１３と上下風向板１４、１５の左右幅も送風ファンの幅に合わせて形成される。
【００２３】
熱交換器１８の右端には冷媒が通流する複数のＵ字管２０と室外機に接続される複数の冷媒配管２１が引き出されていて冷媒配管部２を構成している。また筐体１１内部の右側面側で、冷媒配管部２を挟んで熱交換器１８の反対側には制御基板や制御部品（いずれも図示なし）を収納した電装品箱４が設けられている。電装品箱４は筐体１１内部の右側面全体に渡って設けられており、近接する冷媒配管部２から発生する結露水が送風ファンで飛ばされて電装品箱４に掛るため、これを防止するために電装品箱４の左側面４ａ（冷媒配管部２の面）を覆う遮水板７が設けられている。
【００２４】
電装品箱４の前面側には、設置時に室外機からのケーブルを室内機１に接続する端子台（図示なし）があるコネクタ部４１が前方に突出するように設けられている。コネクタ部４１の前面には開閉可能なコネクタカバー４２が設けられている。コネクタカバー４２は図２に示すように前面カバー３の開口部３２から突出しており、吸込パネル１６を開けると直にコネクタカバー４２を開閉することができる。
【００２５】
図２から図４に示すように筐体１１の内部には通信アダプタ５を備える。通信アダプタは、前面カバー３の内側で、前面カバー３と冷媒配管部２の間に配置されている。通信アダプタ５は、ユーザーが操作したスマートフォンやパソコン等の携帯端末機からの信号を、ネットワークを介した無線通信（例えばＷｉ−Ｆｉ通信）により受信して空気調和機の運転状態を制御するとともに、空気調和機から外部に対して情報を供給するものである。
【００２６】
通信アダプタ５は上下方向Ｈと左右方向Ｗと前後方向ＤがＨ＞Ｗ＞Ｄとなる直方体状のアダプタ本体部５０を有し、アダプタ本体部５０の外郭は前面ケース５１と背面ケース５２を側面周囲で合わせて形成される。前面ケース５１の前面には通信アダプタ５をＯＮ／ＯＦＦするスイッチ５３と、スイッチ５３の上に通信アダプタ５のＯＮ／ＯＦＦ状態を示す第１ＬＥＤ表示部５４と、通信アダプタ５の通信状態を示す第２ＬＥＤ表示部５５が設けられている。なお、第１ＬＥＤ表示部５４と第２ＬＥＤ表示部５５は逆の位置になっていてもよい。
【００２７】
通信アダプタ本体部５０の底面には下方に突設した取付部５６を備える。図５（ｂ）を参照して取付部５６はネジ孔５６１を備え、このネジ孔５６１は後述するネジ受け部６２とネジ止めすることで通信アダプタ５が筐体１１内部に固定される。また、取付部５６の右横からケーブル５７が引き出されており、このケーブル５７を電装品箱４内部の制御基板に接続することで、通信アダプタ５と室内機１が接続される。
【００２８】
通信アダプタ５は室内機１の製造時に筐体１１内部に組み込まれ、ケーブル５７を制御基板に接続したのち前面カバー３で覆われる。そのため室内機１の取付作業時に作業者が通信アダプタ５に触れる虞は無い。
【００２９】
次に通信アダプタ５の取付構造について説明する。図５（ａ）は図３から通信アダプタ５を外した状態の図で、（ｂ）は通信アダプタ５を背面側から見た図である。また図６は通信アダプタ５の取付部５６のネジ孔５６１の中心を通る上下の切断線で切った縦断面図であり、図７は通信アダプタ５の第１ＬＥＤ表示部５４と第２ＬＥＤ表示部５５を通る上下の切断線で切った縦断面図である。
【００３０】
図４から図６に示すように遮水板７は下端が熱交換器保持板１９に載置してネジで固定される。遮水板７は電装品箱４の左側面４ａから連続してコネクタ部４１の背面と左側面を覆う。遮水板７はコネクタ部４１の左側面の中程から左方向に直角に曲がるフランジ部７１を備える。フランジ部７１は冷媒配管２１の前方を覆う。このフランジ部７１の中央には十字状のリブ７２が前方に突出している。このリブ７２の先端が通信アダプタ５の背面を支えることになる。
【００３１】
図７を合わせて参照して熱交換器１８の下端を支えるドレンパン６はドレンパン６の右端前面に係止部６０を備える。係止部６０はドレンパン６の前面から通信アダプタ５に接するように突設されている。係止部６０には、円筒状に突出するネジ受け部６２と、ネジ受け部６２の上方に、前後方向と左右方向に長く上下方向は短い平板状となる係止片６１を備える。係止片６１の先端には平板状の一部がそのまま前方に突出した形状となる爪部６１１を備える。なお、爪部６１１は係止片６１の先端に円柱や球状以外の形状（例えば楕円筒状や角柱）が突出したものであればよい。通信アダプタ５の取付時に通信アダプタ５が左右に回転することを抑えられる形状であればよい。またネジ受け部６２の左右それぞれには前方に突出する支持部６３、６３を備える。係止片６１の下部とネジ受け部６２の上部は第１連結部６４ａで連結され、ネジ受け部６２の左右中央と支持部６３、６３は第２連結部６４ｂで連結されている。
【００３２】
尚、図に示す２３はドレンパン６の表面に発生する結露水を防ぐ断熱材であり、係止部６０の位置は切り欠いて設けている。
【００３３】
通信アダプタ５の背面ケース５２の下方には通信アダプタ５の組付時に爪部６１と嵌合する凹部となる爪受け部５２１が設けられている。通信アダプタ５を筐体１１に取り付けるには、爪受け部５２１を係止片６１の爪部６１１に合わせる。爪部６１１および爪受け部５２１が通信アダプタ５が左右に回転することを抑えられる形状であることから、通信アダプタ５の上下左右方向の位置決めがなされ、回り止めとなる。また取付部５６がネジ受け部６２に当接するとともに、ネジ受け部６２の左右にある支持部６３、６３で取付部５６の左右両端が押えられる。この時、リブ７２が背面ケース５２の背面に当接することで、前後方向の位置決めもなされる。ネジ８でネジ孔５６１とネジ受け部６２を固定することで通信アダプタ５が筐体１１内部に固定される。
【００３４】
通信アダプタ５を固定した後、ケーブル５７を電装品箱４の下方から電装品箱４に引き回して制御基板（図示なし）に接続したのち、前面カバー３を筐体１１に被せる。
【００３５】
図２と図７に示すように、前面カバー３は通信アダプタ５のスイッチ５３の前方の位置に前面カバー３の背面に突出するボタン部３３１を備えたヒンジ部３３を有する。また第１ＬＥＤ表示部５４、第２ＬＥＤ表示部５５の前方に当たる位置に前面カバー３の背面に円筒状に突出して第１ＬＥＤ表示部５４、第２ＬＥＤ表示部５５の周囲に接する筒状リブ３４を備える。筒状リブ３４の中央は第１ＬＥＤ表示部５４、第２ＬＥＤ表示部５５用の表示孔３４１となる。これにより通信アダプタ５は前面カバー３で覆われても、前面カバー３のヒンジ部３３を押すことによりボタン部３３１でスイッチ５３の入切が可能となり、表示孔３４１から第１ＬＥＤ表示部５４、第２ＬＥＤ表示部５５の状態を知ることができる。また、筒状リブ３４が通信アダプタ５の前面に当接することで前方から通信アダプタを押えこみ十字状のリブ７２と合わせて通信アダプタ５の前後を堅固に固定する。
【００３６】
上記の構成により、通信アダプタ５を前面カバー３の内部に配置することで、従来例のような通信アダプタ５や電装品箱４を覆うカバーが不要となる。
【００３７】
以上は通信アダプタ５で操作できる空気調和機の室内機の説明であるが、同じ室内機本体を共用する通信アダプタ５で操作できない空気調和機の室内機の場合でも、通信アダプタ５を除くだけで他の部品を変更する必要がない。遮水板７に十字状のリブ７２や、ドレンパン６に係止部６０を備えていても前面カバー３で覆われるため外部から視認されることがなく共用の部品でよい。また前面カバー３にはヒンジ部３３と表示孔３４１があるが吸込パネル１２で覆われるため共用部品としてもよいが、ユーザーに視認される可能性があるので改造するとしてもヒンジ部３３と表示孔３４１を入れ子として部分的に改造するだけなので、金型費用は抑えられる。
【００３８】
以上説明したように、前面カバーと冷媒配管部の間に通信アダプタ５を配置したことで、通信アダプタ５や電装品箱４のカバー等が不要となり部品点数を抑えることができる。また、室内機本体を通信アダプタで操作できる機種と、通信アダプタで操作できない機種で共用する空気調和機の室内機において、前面カバーの金型の費用を抑えることができるものとなる。
【符号の説明】
【００３９】
１：室内機、１１：筐体、１６：吸込パネル、１８：熱交換器、１９：熱交換器保持板
２：冷媒配管部、２０：Ｕ字管、２１：冷媒配管、２２：ケーシング
３：前面カバー、３３：ヒンジ部、３３１：ボタン部、３４：筒状リブ、３４１：表示孔
４：電装品箱
５：通信アダプタ、５０：本体部、５１：前面ケース、５２：背面ケース、５２１：爪受け部、５３：スイッチ、５４：第１ＬＥＤ表示部、５５：第２ＬＥＤ表示部、５６：取付部、５７：ケーブル
６：ドレンパン、６０：係止部、６１：係止片、６１１：爪部、６２：ネジ受け部、６３：支持部
７：遮水板、７１：フランジ部、７２：リブ
８：ネジ
【図１】
2018017481.tif 000003
【図２】
2018017481.tif 000004
【図３】
2018017481.tif 000005
【図４】
2018017481.tif 000006
【図５】
2018017481.tif 000007
【図６】
2018017481.tif 000008
【図７】
2018017481.tif 000009